(57)【要約】  【課題】  本発明は、複数本のデータ線を束ねて１組とした表示装置の駆動制御を行うとともに、隣接するデータ線との間にできる寄生容量に起因して発生する画質の劣化を低減させる表示装置を提供することを目的とする。  【解決手段】  ３本毎に組となるデータ線ＤＬ−１〜ＤＬ−３Ｎの各組の隣に設置されるダミー線ＤＤＬ−１〜ＤＤＬ−Ｎを配置し、３本のデータ線と１本のダミー線を束ねて１組とする。そして、データ線ＤＬ−（３ｎ−２）、ＤＬ−（３ｎ−１）、ＤＬ−３ｎ及びダミー線ＤＤＬ−ｎを順番に、データ線Ｄ−ｎに接続することで、液晶パネル１の全画素に対して電位変動を発生させて、縦縞などの映像ノイズを除去する。【選択図】      図１
2007328073.tif 000002
【特許請求の範囲】
【請求項１】
配列された複数の画素と、列毎に備えられて前記画素にデータ信号を与えるとともに隣接するｘ本（ｘは２以上の整数）毎に１組とされるｘ×Ｎ列（Ｎは自然数）となるデータ線と、前記画素に与える前記データ信号を出力するデータ線駆動回路と、前記データ線駆動回路からの前記データ信号を前記データ線に与えるＮ本の出力信号線と、備える表示装置において、
Ｎ本の前記出力信号線それぞれに対応して設置されるとともに、１組となる隣接するｘ本の前記データ線毎に１本を並べて配置され、画素と接続のない擬似データ線と、
ｘ本の隣接する前記データ線と１本の前記擬似データ線とで１組として、当該１組となる前記データ線及び前記擬似データ線と前記出力信号線との接続を切り換えるＮ個の切換スイッチと、
該切換スイッチのスイッチング動作を制御するデータ線選択回路と、
を備え、
前記データ線選択回路によって制御される前記切換スイッチが、１本の前記出力信号線に対してｘ＋１本となる前記データ線及び前記擬似データ線を、各組毎に１本ずつ接続するとともに、
前記切換スイッチによって、１本の前記データ線が前記出力信号線に接続されるとき、当該データ線に接続される前記画素に与える前記データ信号が前記データ線駆動回路より出力され、
前記切換スイッチによって、前記擬似データ線が前記出力信号線に接続されるとき、擬似的なデータ信号が前記データ線駆動回路より出力されることを特徴とする表示装置。
【請求項２】
前記切換スイッチが、前記データ線又は前記擬似データ線と前記出力信号線との間に接続されるとともに前記データ線選択回路からの信号に基づいてＯＮ／ＯＦＦするｘ＋１個のスイッチング素子によって構成されることを特徴とする請求項１に記載の表示装置。
【請求項３】
前記擬似データ線と接続された前記スイッチング素子によるスイッチング動作を有効とするか否かを制御する制御回路を備え、
前記制御回路によって、前記擬似データ線と接続された前記スイッチング素子によるスイッチング動作を有効とするとき、前記切換スイッチによって、ｘ＋１本となる前記データ線及び前記擬似データ線により１組を構成して、各組毎に、ｘ＋１本となる前記データ線及び前記擬似データ線と１本の前記出力信号線との接続を切り換え、
前記制御回路によって、前記擬似データ線と接続された前記スイッチング素子によるスイッチング動作を無効とするとき、前記切換スイッチによって、ｘ本となる前記データ線により１組を構成して、各組毎に、ｘ本となる前記データ線と１本の前記出力信号線との接続を切り換えることを特徴とする請求項２に記載の表示装置。
【請求項４】
該スイッチング素子が、その第１電極が前記データ線又は前記擬似データ線に接続され、その第２電極が前記出力信号線に接続されるとともに、その制御電極に前記データ線選択回路からの信号が与えられるトランジスタであることを特徴とする請求項２又は請求項３に記載の表示装置。
【請求項５】
前記擬似データ線が、隣接する組の前記データ線と隣接するとともに同一組の前記画素に隣接する位置に配置されることを特徴とする請求項１〜請求項４のいずれかに記載の表示装置。
【請求項６】
前記画素がマトリクス状に配置されるとともに、
前記データ線及び前記擬似データ線と直行するとともに、１行に前記画素と接続する複数本の走査線と、
前記走査線を１本毎選択することで走査する走査線駆動回路と、
を備え、
前記走査線駆動回路によって、前記走査線を１本毎走査する度に、前記切換スイッチによる前記出力信号線との接続の切換動作が行われることを特徴とする請求項１〜請求項５のいずれかに記載の表示装置。
【請求項７】
前記画素が、前記データ線と一端が接続されるスイッチング素子と、当該スイッチング素子の他端に接続される液晶容量と、によって構成されることを特徴とする請求項１〜請求項６のいずれかに記載の表示装置。
【発明の詳細な説明】
【技術分野】
【０００１】
本発明は、複数の画素に接続されたデータ線及び走査線の接続を制御して駆動する表示装置に関し、特に、ＴＦＴ（Thin Film Transistor）方式を利用したアクティブマトリクス型の表示装置に関する。
【背景技術】
【０００２】
近年、液晶表示装置は、ＣＲＴ（Cathode Ray Tube）に比べて薄型化が可能であること、消費電力が小さいこと等の利点を有していることから、携帯用電子機器の表示装置のみならず、パーソナルコンピュータ等の据え置き型電子機器の表示装置にも用途を広げつつある。なかでも、各画素にスイッチング素子を設けて液晶を駆動するアクティブマトリクス型の液晶表示装置は、原理的にコントラストが高く、応答速度を速くできる等の利点を有している。
【０００３】
そして、各画素に用いられるスイッチング素子として、非線形抵抗素子や半導体素子が用いられるが、なかでも、透過型表示が可能であり、大面積化も容易である等の理由から、透明な絶縁性基板上に形成された画素ＴＦＴが用いられている。特に、チャネル部分の半導体層に多結晶シリコン（Ｐ−ｓｉ）を用いた画素ＴＦＴは、従来の非晶質シリコン（ａ−Ｓｉ）を用いたものに比べ、更に低消費電力及び高速応答が可能な液晶表示装置を実現することができる。
【０００４】
又、液晶表示装置の液晶パネルは、所定の距離を隔てて平行に対向配置されたマトリクス基板及び対向基板と、これら両基板間に充填された液晶とより構成される。このうち、マトリクス基板には、複数の互いに並行なデータ線と、各データ線に交差する複数の互いに並行なゲート線とが設けられるとともに、これらデータ線とゲート線との各交点において、対向電極と液晶容量とで表示の一単位となる画素を構成する画素電極と、この画素電極を対応するデータ線に電気的に接続するための画素ＴＦＴとが、画素毎に配設される。
【０００５】
そして、液晶表示装置が、液晶パネルにおいて画素毎に配設された画素電極と画素ＴＦＴを駆動するために、画素ＴＦＴに流す電流量となる映像信号をデータ線に与えるデータ線駆動回路と、画素ＴＦＴのＯＮ／ＯＦＦを行うための走査選択電圧と非走査選択電圧によりなるゲート信号をゲート線に与えるゲート線駆動回路とを、液晶表示装置の駆動回路部として備える。
【０００６】
又、画素ＴＦＴとして多結晶シリコン（Ｐ−ｓｉ）を用いた液晶表示装置においては、表示部の外周部に画素ＴＦＴとは異なる液晶駆動用のドライバＴＦＴを配置し、液晶パネルを構成する同じ基板内に表示部と駆動回路部とを一体形成した、ドライバモノリシック型の液晶表示装置が提案されている。このドライバモノリシック型の液晶表示装置において、デジタルデータで入力される映像信号をアナログ変換するＤ／Ａ（デジタル−アナログ）コンバータを有するデジタル方式のデータ線駆動回路を用いるものがある。このようなデータ線駆動回路を備えることで、Ｄ／Ａコンバータを外部に設置することなく、入力信号の電圧振幅も小さくできる。
【０００７】
更に、このような液晶表示装置として、図５に示すように、複数のデータ線を１組に束ねるとともに、この１組となる複数のデータ線の内の１本を選択するゲートＴＦＴを備えて、データ線駆動回路の出力バッファの数量を低減したものが提案されている。この図５の液晶表示装置は、３Ｎ本のデータ線ＤＬ−１〜ＤＬ−３Ｎと、Ｍ本のゲート線ＧＬ−１〜ＧＬ−Ｍと、データ線ＤＬ−１〜ＤＬ−３Ｎに与える映像信号を出力するデータ線駆動回路２と、ゲート線ＧＬ−１〜ＧＬ−Ｍにゲート信号を与えるゲート線駆動回路３と、を備える。
【０００８】
そして、この図５の液晶表示装置は、データ線ＤＬ−１〜ＤＬ−３Ｎを３本１組としてＮ組に束ね、各組毎に映像信号をデータ線ＤＬ−１〜ＤＬ−３Ｎに与えるためにデータ線駆動回路２に接続されたＮ本の出力信号線Ｄ−１〜Ｄ−Ｎと、出力信号線Ｄ−１〜Ｄ−Ｎそれぞれにソース電極が接続された３Ｎ個のゲートＴＦＴ４ａ−１〜４ａ−Ｎ，４ｂ−１〜４ｂ−Ｎ，４ｃ−１〜４ｃ−Ｎと、ゲートＴＦＴ４ａ−１〜４ａ−Ｎのゲートに接続されるライン選択線ＧＬａと、ゲートＴＦＴ４ｂ−１〜４ｂ−Ｎのゲートに接続されるライン選択線ＧＬｂと、ゲートＴＦＴ４ｃ−１〜４ｃ−Ｎのゲート電極に接続されるライン選択線ＧＬｃと、ライン選択線ＧＬａ〜ＧＬｃに信号を与えて出力信号線Ｄ−１〜Ｄ−Ｎに接続するデータ線ＤＬ−１〜ＤＬ−３Ｎの選択を行うデータ線選択回路５０と、を備える。
【０００９】
更に、データ線ＤＬ−１〜ＤＬ−３Ｎ及びゲート線ＧＬ−１〜ＧＬ−Ｍが直交するように配線される液晶パネル１００において、データ線ＤＬ−１〜ＤＬ−３Ｎとゲート線ＧＬ−１〜ＧＬ−Ｍとの交点位置に画素が構成される。即ち、液晶パネル１００には、Ｍ×３Ｎ個となる画素がマトリクス状に配置されている。そして、各画素は、データ線ＤＬ−１〜ＤＬ−３Ｎにソース電極が接続された画素ＴＦＴ６と、この画素ＴＦＴのドレイン電極に一端が接続されるとともに他端が対向基板に設けられた対向電極８に接続された液晶容量７とを、備える。尚、各画素の画素ＴＦＴ６のゲート電極にゲート線ＧＬ−１〜ＧＬ−Ｍが接続され、又、ゲートＴＦＴ４ａ−１，４ｂ−１，４ｃ−１，４ａ−２，４ｂ−２，…，４ｃ−Ｎのドレイン電極にデータ線ＤＬ−１，ＤＬ−２，…，ＤＬ−３Ｎが接続される。
【００１０】
このように構成される液晶表示装置によると、図６のタイミングチャートのように、ゲート線駆動回路３によってｍ行目（ｍは、１〜Ｍの整数）のゲート線ＧＬ−ｍに与えるゲート信号を非選択電位（ロー）から選択電位（ハイ）に切り換えると、ｍ行目のゲート線ＧＬ−ｍに接続された３Ｎ個の画素ＴＦＴ６がＯＮとなる。そして、まず、データ線選択回路５０によってライン選択線ＧＬａの電位をハイとすると、ゲートＴＦＴ４ａ−１〜４ａ−ＮがＯＮとなり、出力信号線Ｄ−１，Ｄ−２，…，Ｄ−Ｎそれぞれにデータ線ＤＬ−１，ＤＬ−４，…，ＤＬ−（３Ｎ−２）が接続される。
【００１１】
よって、データ線駆動回路２より出力信号線Ｄ−１，Ｄ−２，…，Ｄ−Ｎそれぞれに対して出力される電圧信号となるデータ信号が、データ線ＤＬ−１，ＤＬ−４，…，ＤＬ−（３Ｎ−２）に与えられる。これにより、データ線ＤＬ−１，ＤＬ−４，…，ＤＬ−（３Ｎ−２）にソース電極が接続されるとともにゲート線ＧＬ−ｍにゲート電極が接続されたＮ個の画素ＴＦＴ６に対して、データ線駆動回路２からのデータ信号が与えられる。そして、この画素ＴＦＴ６に接続された液晶容量７は、このデータ信号によって設定される電位と対向電極８にかかる電位との電位差に相当する電圧が印加される。
【００１２】
次に、データ線選択回路５０は、ライン選択線ＧＬａの電位をローとするとともに、ライン選択線ＧＬｂの電位をハイとすることで、ゲートＴＦＴ４ｂ−１〜４ｂ−ＮをＯＮとして、出力信号線Ｄ−１，Ｄ−２，…，Ｄ−Ｎそれぞれにデータ線ＤＬ−２，ＤＬ−５，…，ＤＬ−（３Ｎ−１）を接続する。よって、データ線駆動回路２より出力信号線Ｄ−１，Ｄ−２，…，Ｄ−Ｎそれぞれに対して出力される電圧信号となるデータ信号が、データ線ＤＬ−２，ＤＬ−５，…，ＤＬ−（３Ｎ−１）に与えられる。これにより、データ線ＤＬ−２，ＤＬ−５，…，ＤＬ−（３Ｎ−１）にソース電極が接続されるとともにゲート線ＧＬ−ｍにゲート電極が接続されたＮ個の画素ＴＦＴ６に対して、データ線駆動回路２からのデータ信号が与えられる。
【００１３】
最後に、データ線選択回路５０は、ライン選択線ＧＬｂの電位をローとするとともに、ライン選択線ＧＬｃの電位をハイとすることで、ゲートＴＦＴ４ｃ−１〜４ｃ−ＮをＯＮとして、出力信号線Ｄ−１，Ｄ−２，…，Ｄ−Ｎそれぞれにデータ線ＤＬ−３，ＤＬ−６，…，ＤＬ−３Ｎを接続する。よって、データ線駆動回路２より出力信号線Ｄ−１，Ｄ−２，…，Ｄ−Ｎそれぞれに対して出力される電圧信号となるデータ信号が、データ線ＤＬ−３，ＤＬ−６，…，ＤＬ−３Ｎに与えられる。これにより、データ線ＤＬ−３，ＤＬ−６，…，ＤＬ−３Ｎにソース電極が接続されるとともにゲート線ＧＬ−ｍにゲート電極が接続されたＮ個の画素ＴＦＴ６に対して、データ線駆動回路２からのデータ信号が与えられる。
【００１４】
このように、ゲート線駆動回路３によってゲート線ＧＬ−ｍに与える電位をハイとしている間に、データ線選択回路５０によりライン選択線ＧＬａ〜ＧＬｃそれぞれに与える電位を順番にハイとすることで、画素トランジスタ６を介してゲート線ＧＬ−ｍに接続された３Ｎ個の液晶容量６に、ｍ行目の画素に対する画像信号に応じた電圧を保持させる。即ち、図６のように、ｍ行３ｎ−２列、ｍ行３ｎ−１列、ｍ行３ｎ列（ｎは、１〜Ｎの整数）の画素に対して与える画像信号ａ，ｂ，ｃが順番に、ライン選択線ＧＬａ，ＧＬｂ，ＧＬｃがハイとされるタイミングで与えられると、画素ＴＦＴ６を介してデータ線ＤＬ−（３ｎ−２），ＤＬ−（３ｎ−１），ＤＬ−３ｎと接続される液晶容量７に印加される電圧が電圧Ｖａ，Ｖｂ，Ｖｃに変化して、保持される。
【００１５】
そして、データ線選択回路５０によりライン選択線ＧＬｃの電位をローにするとともに、ゲート線駆動回路３によりゲート線ＧＬ−ｍの電位をローとすると、次に、ゲート線駆動回路３によりゲート線ＧＬ−（ｍ＋１）の電位をハイとした後、データ線選択回路５０によりライン選択線ＧＬａ〜ＧＬｃそれぞれに与える電位が順番にハイとされる。これにより、ｍ＋１行目の画素に対する映像信号に基づく電圧が、ｍ＋１行目の画素それぞれの液晶容量７に保持される。このような動作が行毎に繰り返されることで、液晶パネル１００に配設される全画素の液晶容量７には、１フレーム分の映像信号に基づく電圧が保持されることとなる。
【００１６】
このように動作するとき、ゲート線ＧＬ（ゲート線ＧＬ−１〜ＧＬ−Ｍに相当する）の電位がハイとされて選択された行において、出力信号線Ｄ（出力信号線Ｄ−１〜Ｄ−Ｎに相当する）からの映像信号が与えられるデータ線ＤＬ（データ線ＤＬ−１〜ＤＬ−３Ｎに相当する）に接続された画素の液晶容量７の電圧が変化するだけでなく、この画素に隣接する画素の液晶容量７の電圧も変化する。
【００１７】
これは、図７に示すように、映像信号が与えられるデータ線ＤＬと隣接する画素の液晶容量７との間に、寄生容量Ｃ１が存在するためである。よって、映像信号が与えられていない画素においては、隣接するデータ線ＤＬとの間で発生する寄生容量Ｃ１を通じて、映像信号が既に与えられている画素の液晶容量７の電圧が変化してしまう。又、図７に示す構成は、データ線ＤＬに対して、このデータ線ＤＬより電圧供給を受ける画素を右側に配置した場合のもので、この画素に隣接する右側のデータ線ＤＬとの結合により寄生容量Ｃ１を形成される。
【００１８】
そのため、図６のタイミングチャートのように、左から右へと走査させた場合、画素ＴＦＴ６を介してデータ線ＤＬ−（３ｎ−２），ＤＬ−（３ｎ−１），ＤＬ−３ｎと接続される液晶容量７に印加される電圧がそれぞれ、データ線選択回路５０によりライン選択線ＧＬｂ，ＧＬｃ，ＧＬａの電位がハイとされたときに影響を受ける。このとき、画素ＴＦＴ６を介してデータ線ＤＬ−（３ｎ−２），ＤＬ−（３ｎ−１）と接続される液晶容量７は、図６に示すように、既に電圧Ｖａ，Ｖｂに変化して保持した後に隣接するデータ線ＤＬ−（３ｎ−１），ＤＬ−３ｎの影響を受けるため、その影響分となる電圧ΔＶａ，ΔＶｂ分だけ変化した電圧となる。
【００１９】
それに対して、画素ＴＦＴ６を介してデータ線ＤＬ−３ｎと接続される液晶容量７は、逆に、隣接するデータ線ＤＬ−（３ｎ−２）の影響を受けて変化した後に映像信号に応じた電位がデータ線ＤＬ−３ｎより与えられるため、既に影響を受けて変化した電圧ΔＶｃからデータ線ＤＬ−３ｎを介して与えられる電圧Ｖｃに切り替わる。よって、データ線ＤＬ−（３ｎ−２），ＤＬ−（３ｎ−１）に接続された画素に電位変動が生じ、残りのデータ線ＤＬ−３ｎに接続された画素には電位変動が生じない。これにより、列方向（垂直方向）の縦縞となる映像ノイズが液晶パネル１００に表示されることとなる。
【００２０】
逆に、図７のような寄生容量Ｃ１が発生する画素の配置関係で、右から左へと走査させた場合、データ線ＤＬ−３ｎと接続される画素にのみ電位変動が生じることとなり、この場合においても、やはり、列方向（垂直方向）の縦縞となる映像ノイズが液晶パネル１００に表示される。更に、データ線ＤＬに対して、このデータ線ＤＬより電圧供給を受ける画素を左側に配置した場合においても、同様の理由により、液晶パネル１００に縦縞となる映像ノイズが発生する。
【００２１】
これに対して、出力信号線Ｄとデータ線ＤＬとを接続する順序を、走査線毎に切り換えることで、隣接するデータ線ＤＬとの寄生容量Ｃ１による電位変動に基づく映像ノイズとなるムラを空間軸上に振り分けて、人間の目に認識され難くした表示装置が開示されている（特許文献１参照）。又、この特許文献１において、同じ走査線であっても、走査する度に出力信号線Ｄとデータ線ＤＬとを接続する順序を切り換えることで、隣接するデータ線ＤＬとの寄生容量Ｃ１による電位変動に基づく映像ノイズとなるムラを時間軸上に振り分けて、人間の目に認識され難くした表示装置を開示している。
【特許文献１】特開２００３−５８１１９号公報
【発明の開示】
【発明が解決しようとする課題】
【００２２】
この特許文献１の表示装置では、電位変動に基づく映像ノイズを空間軸上又は時間軸上で振り分けることで、人間の目に映像ノイズが認識されないようにしているが、電位変動に基づく映像ノイズが取り消されたものではない。即ち、図７に示すような、隣接するデータ線ＤＬとの寄生容量Ｃ１に基づく電位変動が防がれるものではなく、この電位変動による映像ノイズが残留したままとなる。
【００２３】
このような問題を鑑みて、本発明は、複数本のデータ線を束ねて１組とした表示装置の駆動制御を行うとともに、隣接するデータ線との間にできる寄生容量に起因して発生する画質の劣化を低減させる表示装置を提供することを目的とする。
【課題を解決するための手段】
【００２４】
上記目的を達成するために、本発明の表示装置は、配列された複数の画素と、列毎に備えられて前記画素にデータ信号を与えるとともに隣接するｘ本（ｘは２以上の整数）毎に１組とされるｘ×Ｎ列（Ｎは自然数）となるデータ線と、前記画素に与える前記データ信号を出力するデータ線駆動回路と、前記データ線駆動回路からの前記データ信号を前記データ線に与えるＮ本の出力信号線と、備える表示装置において、Ｎ本の前記出力信号線それぞれに対応して設置されるとともに、１組となる隣接するｘ本の前記データ線毎に１本を並べて配置され、画素と接続のない擬似データ線と、ｘ本の隣接する前記データ線と１本の前記擬似データ線とで１組として、当該１組となる前記データ線及び前記擬似データ線と前記出力信号線との接続を切り換えるＮ個の切換スイッチと、該切換スイッチのスイッチング動作を制御するデータ線選択回路と、を備え、前記データ線選択回路によって制御される前記切換スイッチが、１本の前記出力信号線に対してｘ＋１本となる前記データ線及び前記擬似データ線を、各組毎に１本ずつ接続するとともに、前記切換スイッチによって、１本の前記データ線が前記出力信号線に接続されるとき、当該データ線に接続される前記画素に与える前記データ信号が前記データ線駆動回路より出力され、前記切換スイッチによって、前記擬似データ線が前記出力信号線に接続されるとき、擬似的なデータ信号が前記データ線駆動回路より出力されることを特徴とする。
【００２５】
尚、「擬似データ線」は、以下の実施形態における「ダミー線」を意味するものであり、又、「擬似的なデータ信号」は、以下の実施形態における「ダミーとなるデータ信号」を意味するものである。
【００２６】
このような表示装置において、前記切換スイッチが、前記データ線又は前記擬似データ線と前記出力信号線との間に接続されるとともに前記データ線選択回路からの信号に基づいてＯＮ／ＯＦＦするｘ＋１個のスイッチング素子によって構成されるものとしても構わない。
【００２７】
そして、前記擬似データ線と接続された前記スイッチング素子によるスイッチング動作を有効とするか否かを制御する制御回路を備え、前記制御回路によって、前記擬似データ線と接続された前記スイッチング素子によるスイッチング動作を有効とするとき、前記切換スイッチによって、ｘ＋１本となる前記データ線及び前記擬似データ線により１組を構成して、各組毎に、ｘ＋１本となる前記データ線及び前記擬似データ線と１本の前記出力信号線との接続を切り換え、前記制御回路によって、前記擬似データ線と接続された前記スイッチング素子によるスイッチング動作を無効とするとき、前記切換スイッチによって、ｘ本となる前記データ線により１組を構成して、各組毎に、ｘ本となる前記データ線と１本の前記出力信号線との接続を切り換えるものとしても構わない。
【００２８】
又、該スイッチング素子が、その第１電極が前記データ線又は前記擬似データ線に接続され、その第２電極が前記出力信号線に接続されるとともに、その制御電極に前記データ線選択回路からの信号が与えられるトランジスタであるものとしても構わない。
【００２９】
上述の表示装置において、前記擬似データ線が、隣接する組の前記データ線と隣接するとともに同一組の前記画素に隣接する位置に配置される。
【００３０】
更に、前記画素がマトリクス状に配置されるとともに、前記データ線及び前記擬似データ線と直行するとともに、１行に前記画素と接続する複数本の走査線と、前記走査線を１本毎選択することで走査する走査線駆動回路と、を備え、前記走査線駆動回路によって、前記走査線を１本毎走査する度に、前記切換スイッチによる前記出力信号線との接続の切換動作が行われるものとしても構わない。
【００３１】
尚、「走査線」は、以下の実施形態における「ゲート線」を意味するものであり、又、「走査線駆動回路」は、以下の実施形態における「ゲート線駆動回路」を意味するものである。
【００３２】
そして、前記画素が、前記データ線と一端が接続されるスイッチング素子と、当該スイッチング素子の他端に接続される液晶容量と、によって構成されるものとすることで、表示装置を液晶表示装置として構成することができる。
【発明の効果】
【００３３】
本発明によると、擬似データ線を設けるとともに、この擬似データ線に擬似的なデータ信号を出力することで、擬似データ線に隣接する画素に対して電位変動を与えることができる。これにより、表示装置内の画素が、隣接するデータ線のデータ信号によって電位変動される画素、又は、隣接する擬似データ線の擬似的なデータ信号によって電位変動される画素のいずれかとなる。よって、液晶表示装置内の全ての画素において、データ信号が与えられた後の電位変動量をほぼ均一なものとすることができ、従来のように電位変動量の差によって生じる縦縞などの映像ノイズを除去することができる。即ち、本発明において、その表示装置の表示品位を優れたものとすることができる。
【発明を実施するための最良の形態】
【００３４】
＜第１の実施形態＞
本発明の第１の実施形態について、図面を参照して以下に説明する。図１は、本実施形態の液晶表示装置の内部構造を示すブロック図である。尚、図１の液晶表示装置において、図５の液晶表示装置と同一の目的で使用する素子及び部分については、同一の符号を付してその詳細な説明は省略する。
【００３５】
図１に示す液晶表示装置は、図５の液晶表示装置と同様、３Ｎ本のデータ線ＤＬ−１〜ＤＬ−３Ｎと、Ｍ本のゲート線ＧＬ−１〜ＧＬ−Ｍと、Ｎ本の出力信号線Ｄ−１〜Ｄ−Ｎと、ライン選択線ＧＬａ〜ＧＬｃと、データ線駆動回路２と、ゲート線駆動回路３と、３Ｎ個のゲートＴＦＴ４ａ−１〜４ａ−Ｎ，４ｂ−１〜４ｂ−Ｎ，４ｃ−１〜４ｃ−Ｎと、画素ＴＦＴ６及び液晶容量７を備えたＭ×Ｎ個の画素と、を備える。又、液晶パネル１が、所定の距離を隔てて平行に対向配置されたマトリクス基板及び対向基板と、これら両基板間に充填された液晶とより構成される。
【００３６】
そして、この図１の液晶表示装置は、更に、３本毎に組となるデータ線ＤＬ−１〜ＤＬ−３Ｎの各組の隣に設置されるダミー線ＤＤＬ−１〜ＤＤＬ−Ｎと、このダミー線ＤＤＬ−１〜ＤＤＬ−Ｎそれぞれにドレイン電極が接続されたゲートＴＦＴ４ｄ−１〜４ｄ−Ｎと、ゲートＴＦＴ４ｄ−１〜４ｄ−Ｎのゲート電極に接続されるライン選択線ＧＬｄと、ライン選択線ＧＬａ〜ＧＬｄに信号を与えて出力信号線Ｄ−１〜Ｄ−Ｎに接続するデータ線ＤＬ−１〜ＤＬ−３Ｎ及びダミー線ＤＤＬ−１〜ＤＤＬ−Ｎの選択を行うデータ線選択回路５と、を備える。
【００３７】
このような液晶表示装置は、液晶パネル１において、データ線ＤＬ−１〜ＤＬ−３Ｎ及びダミー線ＤＤＬ−１〜ＤＤＬ−Ｎがゲート線ＧＬ−１〜ＧＬ−Ｍと直交するように配線される。そして、この液晶パネル１において、データ線ＤＬ−１〜ＤＬ−３Ｎとゲート線ＧＬ−１〜ＧＬ−Ｍとの交点位置に画素が構成されるが、ダミー線ＤＤＬ−１〜ＤＤＬ−Ｎとゲート線ＧＬ−１〜ＧＬ−Ｍとの交点位置には画素が構成されない。よって、この液晶パネル１においても、図５の液晶表示装置における液晶パネル１００と同様、Ｍ×３Ｎ個となる画素がマトリクス状に配置されている。
【００３８】
そして、各画素は、データ線ＤＬ−１〜ＤＬ−３Ｎにソース電極が接続された画素ＴＦＴ６と、この画素ＴＦＴ６のドレイン電極に一端が接続されるとともに他端が対向基板に設けられた対向電極８に接続された液晶容量７とを、備え、各画素の画素ＴＦＴ６のゲート電極にゲート線ＧＬ−１〜ＧＬ−Ｍが接続される。尚、対向電極８は、対向基板の全面に設けられ、全画素共通に構成される。そして、この対向電極８には、マトリクス基板の周辺に配設されたコモン端子（不図示）を介してマトリクス基板側から適切な共通電圧が印加されるようになっている。又、図１に示すように、各画素がデータ線ＤＬ−１〜ＤＬ−３Ｎの右側に設置される場合、ｎ列目のダミー線ＤＤＬ−ｎが、データ線ＤＬ−３ｎに接続される画素の右側、即ち、データ線ＤＬ−（３ｎ＋１）左側に配置される。
【００３９】
更に、データ線ＤＬ−（３ｎ−２），ＤＬ−（３ｎ−１），ＤＬ−３ｎそれぞれにドレイン電極が接続されたゲートＴＦＴ４ａ−ｎ，４ｂ−ｎ，４ｃ−ｎのソース電極と、ダミー線ＤＤＬ−ｎにドレイン電極が接続されたゲートＴＦＴ４ｄ−ｎのソース電極とが、データ線駆動回路２と接続された出力信号線Ｄ−ｎに接続される。即ち、３本のデータ線ＤＬ（データ線ＤＬ−１〜ＤＬ−３Ｎに相当する）と１本ダミー線ＤＤＬ（データ線ＤＤＬ−１〜ＤＤＬ−Ｎに相当する）との４本が１組となるように束ねられる。
【００４０】
このように構成することで、図２に示すように、データ線ＤＬ−（３ｎ−２），ＤＬ−（３ｎ−１），ＤＬ−３ｎそれぞれにソース電極が接続された画素ＴＦＴ６のドレイン電極と液晶容量７との接続ノードが、隣接するデータ線ＤＬ−（３ｎ−１），ＤＬ−３ｎ及びダミー線ＤＤＬ−ｎとの間に寄生容量Ｃ２を形成することとなる。よって、後述するように、データ線ＤＬ−（３ｎ−２），ＤＬ−（３ｎ−１），ＤＬ−３ｎ及びダミー線ＤＤＬ−ｎを順番に選択して、出力信号線Ｄ−ｎからの信号を与えることで、各画素の寄生容量Ｃ２による電位変動が等しく発生することとなる。
【００４１】
この図１に示す構成の液晶表示装置の動作について、図３のタイミングチャートを参照して、以下に説明する。図５の液晶表示装置と同様、ゲート線駆動回路３によってｍ行目（ｍは、１〜Ｍの整数）のゲート線ＧＬ−ｍに与えるゲート信号をローからハイに切り換えると、ｍ行目のゲート線ＧＬ−ｍにゲート電極が接続された３Ｎ個の画素ＴＦＴ６がＯＮとなる。そして、まず、データ線選択回路５によってライン選択線ＧＬａの電位をハイとすると、ゲートＴＦＴ４ａ−１〜４ａ−ＮがＯＮとなり、出力信号線Ｄ−１，Ｄ−２，…，Ｄ−Ｎそれぞれにデータ線ＤＬ−１，ＤＬ−４，…，ＤＬ−（３Ｎ−２）が接続される。
【００４２】
よって、データ線駆動回路２から出力されるｍ行における１、４、…、（３Ｎ−２）列の画素に与える電圧信号となるデータ信号に切り換えられると、このデータ信号が、データ線ＤＬ−１，ＤＬ−４，…，ＤＬ−（３Ｎ−２）を通じて、各画素に与えられる。そして、ｍ行における１、４、…、（３Ｎ−２）列の画素では、データ線ＤＬ−１，ＤＬ−４，…，ＤＬ−（３Ｎ−２）を通じて与えられた電位が画素ＴＦＴ６を介して液晶容量７に印加される。尚、図３のタイミングチャートには、データ線ＤＬ−（３ｎ−２）を代表して示し、ｍ行（３ｎ−２）列の画素に対するデータａが出力されることで、ｍ行（３ｎ−２）列の画素の液晶容量７に電位Ｖａが与えられる。
【００４３】
即ち、データ線駆動回路２より出力信号線Ｄ−１，Ｄ−２，…，Ｄ−Ｎそれぞれに対して出力されるデータ信号が、データ線ＤＬ−１，ＤＬ−４，…，ＤＬ−（３Ｎ−２）に与えられる。よって、データ線ＤＬ−１，ＤＬ−４，…，ＤＬ−（３Ｎ−２）にソース電極が接続されるとともにゲート線ＧＬ−ｍにゲート電極が接続されたＮ個の画素ＴＦＴ６に対して、データ線駆動回路２からのデータ信号が与えられる。そして、各画素の画素ＴＦＴ６に接続された液晶容量７は、このデータ信号によって設定される電位と対向電極８にかかる電位との電位差に相当する電圧が印加される。
【００４４】
次に、データ線選択回路５は、ライン選択線ＧＬａの電位をローとするとともに、ライン選択線ＧＬｂの電位をハイとして、ゲートＴＦＴ４ａ−１〜４ａ−ＮをＯＦＦとするとともに、ゲートＴＦＴ４ｂ−１〜４ｂ−ＮをＯＮとする。よって、ゲートＴＦＴ４ａ−１〜４ａ−ＮがＯＦＦとなることで、ｍ行における１、４、…、（３Ｎ−２）列の画素における液晶容量７が、出力信号線Ｄ−１，Ｄ−２，…，Ｄ−Ｎと電気的に切断された状態となり、データ信号によって変位した電位を保持する。即ち、図３のタイミングチャートに示すように、ｍ行（３ｎ−２）列の画素において、その液晶容量７に電圧Ｖａが保持されることとなる。
【００４５】
又、ゲートＴＦＴ４ｂ−１〜４ｂ−ＮがＯＮとなることで、出力信号線Ｄ−１，Ｄ−２，…，Ｄ−Ｎそれぞれにデータ線ＤＬ−２，ＤＬ−５，…，ＤＬ−（３Ｎ−１）を接続する。よって、データ線駆動回路２から出力されるｍ行における２、５、…、（３Ｎ−１）列の画素に与える電圧信号となるデータ信号に切り換えられると、このデータ信号が、データ線ＤＬ−２，ＤＬ−５，…，ＤＬ−（３Ｎ−１）を通じて、各画素に与えられる。そして、ｍ行における２、５、…、（３Ｎ−１）列の画素では、データ線ＤＬ−２，ＤＬ−５，…，ＤＬ−（３Ｎ−１）を通じて与えられた電位が画素ＴＦＴ６を介して液晶容量７に印加される。尚、図３のタイミングチャートには、データ線ＤＬ−（３ｎ−１）を代表して示し、ｍ行（３ｎ−１）列の画素に対するデータｂが出力されることで、ｍ行（３ｎ−１）列の画素の液晶容量７に電位Ｖｂが与えられる。
【００４６】
即ち、データ線駆動回路２より出力信号線Ｄ−１，Ｄ−２，…，Ｄ−Ｎそれぞれに対して出力されるデータ信号が、データ線ＤＬ−２，ＤＬ−５，…，ＤＬ−（３Ｎ−１）にソース電極が接続されるとともにゲート線ＧＬ−ｍにゲート電極が接続されたＮ個の画素ＴＦＴ６にデータ信号が与えられる。よって、各画素の画素ＴＦＴ６に接続された液晶容量７は、与えられたデータ信号によって設定される電位と対向電極８にかかる電位との電位差に相当する電圧が印加される。
【００４７】
更に、このとき、図２に示すように、データ線ＤＬ−１，ＤＬ−４，…，ＤＬ−（３Ｎ−２）と画素ＴＦＴ６を介して接続された画素の液晶容量７が、寄生容量Ｃ２を介して、データ線ＤＬ−２，ＤＬ−５，…，ＤＬ−（３Ｎ−１）と電気的に接続されている。この寄生容量Ｃ２を介して、データ線ＤＬ−２，ＤＬ−５，…，ＤＬ−（３Ｎ−１）に与えられるデータ信号の影響を受けて、ｍ行における１、４、…、（３Ｎ−２）列の画素における液晶容量７の電位が変動する。即ち、図３のタイミングチャートに示すように、ｍ行（３ｎ−２）列の画素において、その液晶容量７における電位がΔＶａだけ変動し、電圧Ｖａ＋ΔＶａが印加されることとなる。
【００４８】
同様に、データ線選択回路５は、ライン選択線ＧＬｂの電位をローとするとともに、ライン選択線ＧＬｃの電位をハイとして、ゲートＴＦＴ４ｂ−１〜４ｂ−ＮをＯＦＦとするとともに、ゲートＴＦＴ４ｃ−１〜４ｃ−ＮをＯＮとする。よって、ゲートＴＦＴ４ｂ−１〜４ｂ−ＮがＯＦＦとなることで、ｍ行における２、５、…、（３Ｎ−１）列の画素における液晶容量７が、出力信号線Ｄ−１，Ｄ−２，…，Ｄ−Ｎと電気的に切断された状態となり、データ信号によって変位した電位を保持する。又、ｍ行における１、４、…、（３Ｎ−２）列の画素における液晶容量７が、寄生容量Ｃ２を介しての電気的な接続も切断された状態となる。即ち、図３のタイミングチャートに示すように、ｍ行（３ｎ−１）列の画素において、その液晶容量７に電圧Ｖｂが保持されるとともに、ｍ行（３ｎ−２）列の画素において、その液晶容量７に電圧Ｖａ＋ΔＶａが保持されることとなる。
【００４９】
又、ゲートＴＦＴ４ｃ−１〜４ｃ−ＮがＯＮとなることで、出力信号線Ｄ−１，Ｄ−２，…，Ｄ−Ｎそれぞれにデータ線ＤＬ−３，ＤＬ−６，…，ＤＬ−３Ｎを接続する。よって、データ線駆動回路２から出力されるｍ行における３、６、…、３Ｎ列の画素に与える電圧信号となるデータ信号に切り換えられると、このデータ信号が、データ線ＤＬ−３，ＤＬ−６，…，ＤＬ−３Ｎを通じて、各画素に与えられる。そして、ｍ行における３、６、…、３Ｎ列の画素では、データ線ＤＬ−３，ＤＬ−６，…，ＤＬ−３Ｎを通じて与えられた電位が画素ＴＦＴ６を介して液晶容量７に印加される。尚、図３のタイミングチャートには、データ線ＤＬ−３ｎを代表して示し、ｍ行３ｎ列の画素に対するデータｂが出力されることで、ｍ行３ｎ列の画素の液晶容量７に電位Ｖｃが与えられる。
【００５０】
即ち、データ線駆動回路２より出力信号線Ｄ−１，Ｄ−２，…，Ｄ−Ｎそれぞれに対して出力されるデータ信号が、データ線ＤＬ−３，ＤＬ−６，…，ＤＬ−３Ｎにソース電極が接続されるとともにゲート線ＧＬ−ｍにゲート電極が接続されたＮ個の画素ＴＦＴ６にデータ信号が与えられる。よって、各画素の画素ＴＦＴ６に接続された液晶容量７は、与えられたデータ信号によって設定される電位と対向電極８にかかる電位との電位差に相当する電圧が印加される。
【００５１】
更に、このとき、図２に示すように、データ線ＤＬ−２，ＤＬ−５，…，ＤＬ−（３Ｎ−１）と画素ＴＦＴ６を介して接続された画素の液晶容量７が、寄生容量Ｃ２を介して、データ線ＤＬ−３，ＤＬ−６，…，ＤＬ−３Ｎと電気的に接続されている。この寄生容量Ｃ２を介して、データ線ＤＬ−３，ＤＬ−６，…，ＤＬ−３Ｎに与えられるデータ信号の影響を受けて、ｍ行における２、５、…、（３Ｎ−１）列の画素における液晶容量７の電位が変動する。即ち、図３のタイミングチャートに示すように、ｍ行（３ｎ−１）列の画素において、その液晶容量７における電位がΔＶｂだけ変動し、電圧Ｖｂ＋ΔＶｂが印加されることとなる。
【００５２】
そして、最後に、データ線選択回路５によって、ライン選択線ＧＬｃの電位をローとするとともに、ライン選択線ＧＬｄの電位をハイとして、ゲートＴＦＴ４ｃ−１〜４ｃ−ＮをＯＦＦとするとともに、ゲートＴＦＴ４ｄ−１〜４ｄ−ＮをＯＮとする。よって、ゲートＴＦＴ４ｃ−１〜４ｃ−ＮがＯＦＦとなることで、ｍ行における３、６、…、３Ｎ列の画素における液晶容量７が、出力信号線Ｄ−１，Ｄ−２，…，Ｄ−Ｎと電気的に切断された状態となり、データ信号によって変位した電位を保持する。又、ｍ行における２、５、…、（３Ｎ−１）列の画素における液晶容量７が、寄生容量Ｃ２を介しての電気的な接続も切断された状態となる。即ち、図３のタイミングチャートに示すように、ｍ行３ｎ列の画素において、その液晶容量７に電圧Ｖｃが保持されるとともに、ｍ行（３ｎ−１）列の画素において、その液晶容量７に電圧Ｖｂ＋ΔＶｂが保持されることとなる。
【００５３】
又、ゲートＴＦＴ４ｄ−１〜４ｄ−ＮがＯＮとなることで、出力信号線Ｄ−１，Ｄ−２，…，Ｄ−Ｎそれぞれにダミー線ＤＤＬ−１，ＤＤＬ−２，…，ＤＤＬ−Ｎを接続する。よって、データ線駆動回路２から出力される電圧信号となるダミーのデータ信号に切り換えられると、このデータ信号が、ダミー線ＤＤＬ−１，ＤＤＬ−２，…，ＤＤＬ−Ｎに与えられる。このダミー線ＤＤＬ−１〜ＤＤＬ−Ｎには画素の接続がなく、ダミーとなるデータ信号による電位がダミー線ＤＤＬ−１〜ＤＤＬ−Ｎに印加された状態となる。
【００５４】
更に、このとき、図２に示すように、データ線ＤＬ−３，ＤＬ−６，…，ＤＬ−３Ｎと画素ＴＦＴ６を介して接続された画素の液晶容量７が、寄生容量Ｃ２を介して、ダミー線ＤＤＬ−１，ＤＤＬ−２，…，ＤＤＬ−Ｎと電気的に接続されている。この寄生容量Ｃ２を介して、ダミー線ＤＤＬ−１，ＤＤＬ−２，…，ＤＤＬ−Ｎに与えられるデータ信号の影響を受けて、ｍ行における３、６、…、３Ｎ列の画素における液晶容量７の電位が変動する。即ち、図３のタイミングチャートに示すように、ｍ行３ｎ列の画素において、その液晶容量７における電位がΔＶｃだけ変動し、電圧Ｖｃ＋ΔＶｃが印加されることとなる。
【００５５】
このようにして、ライン選択線ＧＬｄの電位をハイとして、ダミーのデータ信号に切り換えて、ｍ行３ｎ列の画素に電圧Ｖｃ＋ΔＶｃが印加される。その後、データ線選択回路５によってライン選択線ＧＬｄの電位がローとされるとともに、ゲート線駆動回路３によってゲート線ＧＬ−ｍに与えるゲート信号をハイからローに切り換える。これにより、ｍ行目のゲート線ＧＬ−ｍにゲート電極が接続された３Ｎ個の画素ＴＦＴ６がＯＦＦとなり、ｍ行目の３Ｎ個の画素の液晶容量７に、寄生容量Ｃ２の影響による電位変動が成された電圧信号を保持させる。
【００５６】
又、このとき、ゲート線駆動回路３によってゲート線ＧＬ−（ｍ＋１）に与えるゲート信号をローからハイに切り換えて、ゲート線ＧＬ−（ｍ＋１）にゲート電極が接続された３Ｎ個の画素ＴＦＴ６をＯＮとする。そして、データ線選択回路５を同様に動作して、ライン選択線ＧＬａ〜ＧＬｄの電位を順番に切り換えるとともに、データ線駆動回路２から出力されるデータを切り換えることで、ｍ＋１行目の３Ｎ個の画素の液晶容量７に、寄生容量Ｃ２の影響による電位変動が成された電圧を保持させる。
【００５７】
このような動作を行毎に行うことで、Ｍ×３Ｎ個の画素の液晶容量７に、寄生容量Ｃ２の影響による電位変動が成された電圧信号を保持させる。よって、図１の構成のように、ダミー線ＤＤ−１〜ＤＤ−Ｎが設置されることで、液晶パネル１に備えられたＭ×３Ｎ個の画素全ての液晶容量７に保持される電圧が、隣接するデータ線又はダミー線によって電位変動されたものとなる。このように、液晶パネル１に備えられた全ての画素において、共通して電位変動された電圧が液晶容量７で保持されることとなるため、液晶パネル１には、図５の従来の液晶パネル１００に発生する縦縞となる映像ノイズが発生することを防ぐことができる。
【００５８】
＜第２の実施形態＞
本発明の第２の実施形態について、図面を参照して以下に説明する。図４は、本実施形態の液晶表示装置の内部構造を示すブロック図である。尚、図４の液晶表示装置において、図１の液晶表示装置と同一の目的で使用する素子及び部分については、同一の符号を付してその詳細な説明は省略する。
【００５９】
図４に示す液晶表示装置は、図１に示す液晶表示装置の構成に更に、データ線選択回路５とライン選択線ＧＬｄとの間に設置された切換ＴＦＴ９と、この切換ＴＦＴ９のゲート電極に信号を与えるとともにデータ線駆動回路２のデータ出力動作及びデータ線選択回路５の出力動作の設定を行う駆動制御回路１０と、を備える。尚、切換ＴＦＴ９は、ソース電極がデータ線選択回路５に接続され、ドレイン電極がライン選択線ＧＬｄに接続される。
【００６０】
このように構成される液晶表示装置によると、駆動制御回路１０により切換ＴＦＴ９のＯＮ／ＯＦＦが切り換えられるによって、データ線選択回路５とライン選択線ＧＬｄとの電気的な接続が制御される。即ち、駆動制御回路１０により切換ＴＦＴ９がＯＮとされると、データ線選択回路５とライン選択線ＧＬｄとが接続され、又、駆動制御回路１０により切換ＴＦＴ９がＯＦＦとされると、データ線選択回路５とライン選択線ＧＬｄとの接続が切断される。
【００６１】
そして、切換ＴＦＴ９をＯＮとしてデータ線選択回路５とライン選択線ＧＬｄとを電気的に接続するとき、駆動制御回路１０によって、データ線選択回路５が、行毎にライン選択線ＧＬａ〜ＧＬｄの電位を順番に切り換えるように制御される。又、駆動制御回路１０によって、データ線駆動回路２が、データ線ＤＬ−１〜ＤＬ−３Ｎ及びダミー線ＤＤ−１〜ＤＤ−Ｎに与えるデータ信号を順番に出力するように設定される。これにより、第１の実施形態の液晶表示装置（図１参照）と同様、出力信号線Ｄ−１〜Ｄ−Ｎに対して、４本が１組となるデータ線ＤＬ−１〜ＤＬ−３Ｎ及びダミー線ＤＤ−１〜ＤＤ−Ｎが、各組について１本ずつ接続されて、データ線駆動回路２から出力されるデータ信号が与えられる。
【００６２】
即ち、図３のタイミングチャートに示すように、ｍ行の画素にデータが与えられるとき、まず、ゲート線駆動回路３によってゲート線ＧＬ−ｍの電位がハイとされる間に、データ線選択回路５によってライン選択線ＧＬａ〜ＧＬｄの電位が順番にハイに切り換えられる。このとき、ライン選択線ＧＬａがハイである間に、ｍ行（３ｎ−２）列の画素に与えるデータ信号が出力信号線Ｄ−ｎより出力され、ライン選択線ＧＬｂがハイである間に、ｍ行（３ｎ−１）列の画素に与えるデータ信号が出力信号線Ｄ−ｎより出力され、ライン選択線ＧＬｃがハイである間に、ｍ行３ｎ列の画素に与えるデータ信号が出力信号線Ｄ−ｎより出力される。そして、ライン選択線ＧＬｄがハイである間に、ダミー線ＤＤＬ−ｎに与えるダミーとなる電圧信号が出力信号線Ｄ−ｎより出力され、ゲート線ＧＬ−ｍがローとされる。その後、ゲート線ＧＬ−（ｍ＋１）がハイとされる。
【００６３】
又、切換ＴＦＴ９をＯＦＦとしてデータ線選択回路５とライン選択線ＧＬｄとの電気的な接続を切断するとき、駆動制御回路１０によって、データ線選択回路５が、行毎にライン選択線ＧＬａ〜ＧＬｃの電位を順番に切り換えるように制御される。又、駆動制御回路１０によって、データ線駆動回路２が、データ線ＤＬ−１〜ＤＬ−３Ｎに与えるデータ信号を順番に出力するように設定される。従来の液晶表示装置（図５参照）と同様、出力信号線Ｄ−１〜Ｄ−Ｎに対して、３本が１組となるデータ線ＤＬ−１〜ＤＬ−３Ｎが、各組について１本ずつ接続されて、データ線駆動回路２から出力されるデータ信号が与えられる。
【００６４】
即ち、図６のタイミングチャートに示すように、ｍ行の画素にデータが与えられるとき、まず、ゲート線駆動回路３によってゲート線ＧＬ−ｍの電位がハイとされる間に、データ線選択回路５によってライン選択線ＧＬａ〜ＧＬｃの電位が順番にハイに切り換えられる。このとき、ライン選択線ＧＬａがハイである間に、ｍ行（３ｎ−２）列の画素に与えるデータ信号が出力信号線Ｄ−ｎより出力され、ライン選択線ＧＬｂがハイである間に、ｍ行（３ｎ−１）列の画素に与えるデータ信号が出力信号線Ｄ−ｎより出力され、ライン選択線ＧＬｃがハイである間に、ｍ行３ｎ列の画素に与えるデータ信号が出力信号線Ｄ−ｎより出力される。そして、ライン選択線ＧＬｃがローとなると、ゲート線ＧＬ−ｍがローとされるとともに、ゲート線ＧＬ−（ｍ＋１）がハイとされる。
【００６５】
尚、上述の各実施形態において、データ線の右側に画素が配置されるものとし、ダミー線が画素の右側に配置されるものとしたが、データ線の左側に画素が配置される場合は、逆に、ダミー線が画素の左側に配置されるものとする。
【産業上の利用可能性】
【００６６】
本発明の表示装置は、アクティブマトリクス型液晶表示装置に利用可能であり、複数のデータ線を１組としてデータ分割駆動させるアクティブマトリクス型液晶表示装置に利用可能である。
【図面の簡単な説明】
【００６７】
【図１】は、第１の実施形態の液晶表示装置の内部構造を示すブロック図である。
【図２】は、図１の液晶表示装置の駆動タイミングを示すタイミングチャートである。
【図３】は、図１の液晶表示装置における寄生容量の状態を示すブロック図である。
【図４】は、第２の実施形態の液晶表示装置の内部構造を示すブロック図である。
【図５】は、従来の液晶表示装置の内部構造を示すブロック図である。
【図６】は、図５の液晶表示装置の駆動タイミングを示すタイミングチャートである。
【図７】は、図５の液晶表示装置における寄生容量の状態を示すブロック図である。
【符号の説明】
【００６８】
１    液晶パネル
２    データ線駆動回路
３    ゲート線駆動回路
４ａ−１〜４ａ−Ｎ    ゲートＴＦＴ
４ｂ−１〜４ｂ−Ｎ    ゲートＴＦＴ
４ｃ−１〜４ｃ−Ｎ    ゲートＴＦＴ
４ｄ−１〜４ｄ−Ｎ    ゲートＴＦＴ
５    データ線選択回路
６    画素ＴＦＴ
７    液晶容量
８    対向電極
９    切換ＴＦＴ
１０    駆動制御回路
Ｄ−１〜Ｄ−Ｎ    出力信号線
ＤＬ−１〜ＤＬ−３Ｎ    データ線
ＤＤＬ−１〜ＤＤＬ−Ｎ    ダミー線
ＧＬ−１〜ＧＬ−Ｍ    ゲート線
ＧＬａ〜ＧＬｃ    ライン選択線
【図１】
2007328073.tif 000003
【図２】
2007328073.tif 000004
【図３】
2007328073.tif 000005
【図４】
2007328073.tif 000006
【図５】
2007328073.tif 000007
【図６】
2007328073.tif 000008
【図７】
2007328073.tif 000009